(57)【要約】【課題】本発明は自動的に白く塗る建築装置を開示した。【解決手段】機台に固定的に取り付けられるスタッフィングボックスを含み、前記機台の四つの角底部に同時にバスマットが設置され、前記スタッフィングボックスに収容筐体が設置され、前記収容筐体の頂壁に第一転向筐体が設置され、前記収容筐体の頂壁にまた前記第一転向筐体の左側に位置する注入溝が設置され、前記収容筐体の底壁に外部と連結する排出溝が設置され、前記注入溝の底壁に前記収容筐体と連結する透過溝が設置され、前記第一転向筐体の右側に第二転向筐体が設置され、前記第二転向筐体の上側に左に延びる第三転向筐体が設置され、前記第一転向筐体が前記第三転向筐体の間に相互に連結する転向溝が設置され、前記第一転向筐体の底壁に上下に延びる撹拌軸が回転可能なように取り付けられ、前記撹拌軸の下端が前記収容筐体に伸びて多くの撹拌アームが固定的に取り付けられる。【選択図】図4
2019181431.tif 000002
【特許請求の範囲】
【請求項１】
自動的に白く塗る建築装置であって、機台に固定的に取り付けられるスタッフィングボックスを含み、前記機台の四つの角底部に同時にバスマットが設置され、前記スタッフィングボックスに収容筐体が設置され、前記収容筐体の頂壁に第一転向筐体が設置され、前記収容筐体の頂壁に前記第一転向筐体の左側に位置する注入溝が設置され、前記収容筐体の底壁に外部と連結する排出溝が設置され、前記注入溝の底壁に前記収容筐体と連結する透過溝が設置され、前記第一転向筐体の右側に第二転向筐体が設置され、前記第二転向筐体の上側に左に延びる第三転向筐体が設置され、前記第一転向筐体が前記第三転向筐体の間に相互に連結する転向溝が設置され、前記第一転向筐体の底壁に上下に延びる撹拌軸が回転可能なように取り付けられ、前記撹拌軸の下端が前記収容筐体に伸びて複数の撹拌アームが固定的に取り付けられ、前記撹拌軸の上端が上に伸びて前記転向溝に回転可能なように取り付けられ、前記撹拌軸が前記第一転向筐体に位置し外スプラインが設置され、前記第一転向筐体に上下に対応して前記外スプラインと係合する第一円錐形プーリーと第二円錐形プーリーが設置され、前記第一転向筐体の左端壁に第一円錐形プーリーと第二円錐形プーリーを駆動し上下に滑る回す装置が設置され、前記第一転向筐体と前記第二転向筐体の間に左右に伸びる第一転向軸が回転可能なように取り付けられ、前記第一転向軸の左端が前記第一転向筐体に伸びて転向ディスクが固定的に取り付けられ、前記転向ディスクの左端面に前記第一円錐形プーリーと前記第二円錐形プーリーと係合し接続する半円錐歯が固定的に設置され、前記第一転向軸の右端が前記第二転向筐体に伸びて第三円錐形プーリーが固定的に取り付けられ、前記第三転向筐体と前記第二転向筐体の間に上下に伸びる第二転向軸が回転可能なように取り付けられ、前記第二転向軸の下端が前記第二転向筐体に伸びて前記第三円錐形プーリーと係合し接続する第四円錐形プーリーが固定的に取り付けられ、前記第二転向軸の上端が前記第三転向筐体に伸びて第一伝送輪が固定的に取り付けられ、前記転向溝の上部に上に伸びる第三伝送軸が回転可能なように取り付けられ、前記第三伝送軸の上端が前記スタッフィングボックスの頂壁に固定的に取り付けられる第一モーターと動力が伝達可能なように接続し、前記第三転向軸に第二伝送輪が固定的に取り付けられ、前記第一伝送輪と第二伝送輪がベルトコンベヤーを通じて動力が伝達可能なように接続し、前記撹拌軸に上に向かう第一内スプライン溝が設置され、前記第一内スプライン溝にスプライン軸がスプラインし係合し取り付けられ、前記第三転向軸に下に向かって前記スプライン軸と係合する第二内スプライン溝が設置され、前記転向溝の左端壁に分離装置が設置され、前記回す装置は前記第一転向筐体の左端壁に設置される第一滑り溝と第一滑り溝の上に位置し前記第一転向筐体と連結するアリ溝を含み、前記第一滑り溝の上端壁の左側に上に伸びる第二滑り溝が設置され、前記第二滑り溝と前記アリ溝の間に第一透過筐体が設置され、前記第一滑り溝に上下に滑る第一滑りブロックが取り付けられ、前記第一滑りブロックに上下に伸びるねじレバーが係合し取り付けられ、前記ねじレバーの下端が前記第一滑り溝の底壁に回転可能なように取り付けられ、上端が前記第一滑り溝の頂壁に固定的に取り付けられる第二モーターと動力が伝達可能なように接続し、前記第二滑り溝に前記第一滑りブロックと固定的に接続する滑りアームが滑り取り付けられ、前記滑りアームの右端面に第一ラックが設置され、前記アリ溝に上下に滑るアリブロックが取り付けられ、前記アリブロックの左端面に第二ラックが設置され、前記第一透過筐体が第四転向軸を通じて前記第一ラックと第二ラックと係合し接続するギアが回転可能なように取り付けられ、前記第一滑りブロックと前記アリブロックの右端にそれぞれ第一シフトフォークと第二シフトフォークが固定的に取り付けられ、前記分離装置は前記アリ溝の上端壁に設置され上に延びる第三滑り溝を含み、前記第三滑り溝と前記転向溝の間に相互に連結する第二透過筐体が設置され、前記第三滑り溝の中に上下に前記アリブロックと固定的に接続する第二滑りブロックが滑り取り付けられ、前記第二透過筐体に左右に延びる接続板が滑り取り付けられ、前記接続板の左端が前記第二滑りブロックと固定的に接続し、右端が前記転向溝に伸びて転向セットが固定的に取り付けられ、前記転向セットがベアリングを通じて前記スプライン軸に嵌着し、前記透過筐体と排出溝にそれぞれ第一制御バルブと第二制御バルブが取り付けられ、前記収容筐体の底壁に前記排出溝と接続する斜滑面が設置されることを特徴とする自動的に白く塗る建築装置。
【発明の詳細な説明】
【技術分野】
【０００１】
本発明は建築施工分野に関し、具体的には自動的に白く塗る建築装置に関する。
【背景技術】
【０００２】
建築工事によく壁を白く塗って、白く塗る前に塗料をかき混ぜる必要があり、伝統的な操作が多くに人力で完成され、その労働強度が強く効率が低く、現在では自動化攪拌装置があるが、撹拌方向が単一で、混合効率が低く、混合品質が悪く、塗る効果を下げる。
【先行技術文献】
【特許文献】
【０００３】
【特許文献１】中国特許出願公開第105178581号明細書
【発明の概要】
【発明が解決しようとする課題】
【０００４】
上記の技術の不足に対し、本発明は自動的に白く塗る建築装置を提供する。
【課題を解決するための手段】
【０００５】
本発明の自動的に白く塗る建築装置は機台に固定的に取り付けられるスタッフィングボックスを含み、前記機台の四つの角底部に同時にバスマットが設置され、前記スタッフィングボックスに収容筐体が設置され、前記収容筐体の頂壁に第一転向筐体が設置され、前記収容筐体の頂壁にまた前記第一転向筐体の左側に位置する注入溝が設置され、前記収容筐体の底壁に外部と連結する排出溝が設置され、前記注入溝の底壁に前記収容筐体と連結する透過溝が設置され、前記第一転向筐体の右側に第二転向筐体が設置され、前記第二転向筐体の上側に左に延びる第三転向筐体が設置され、前記第一転向筐体が前記第三転向筐体の間に相互に連結する転向溝が設置され、前記第一転向筐体の底壁に上下に延びる撹拌軸が回転可能なように取り付けられ、前記撹拌軸の下端が前記収容筐体に伸びて多くの撹拌アームが固定的に取り付けられ、前記撹拌軸の上端が上に伸びて前記転向溝に回転可能なように取り付けられ、前記撹拌軸が前記第一転向筐体に位置し外スプラインが設置され、前記第一転向筐体に上下に対応して前記外スプラインと係合する第一円錐形プーリーと第二円錐形プーリーが設置され、前記第一転向筐体の左端壁に第一円錐形プーリーと第二円錐形プーリーを駆動し上下に滑る回す装置が設置され、前記第一転向筐体と前記第二転向筐体の間に左右に伸びる第一転向軸が回転可能なように取り付けられ、前記第一転向軸の左端が前記第一転向筐体に伸びて転向ディスクが固定的に取り付けられ、前記転向ディスクの左端面に前記第一円錐形プーリーと前記第二円錐形プーリーと係合し接続する半円錐歯が固定的に設置され、前記第一転向軸の右端が前記第二転向筐体に伸びて第三円錐形プーリーが固定的に取り付けられ、前記第三転向筐体と前記第二転向筐体の間に上下に伸びる第二転向軸が回転可能なように取り付けられ、前記第二転向軸の下端が前記第二転向筐体に伸びて前記第三円錐形プーリーと係合し接続する第四円錐形プーリーが固定的に取り付けられ、前記第二転向軸の上端が前記第三転向筐体に伸びて第一伝送輪が固定的に取り付けられ、前記転向溝の上部に上に伸びる第三伝送軸が回転可能なように取り付けられ、前記第三伝送軸の上端が前記スタッフィングボックスの頂壁に固定的に取り付けられる第一モーターと動力が伝達可能なように接続し、前記第三転向軸に第二伝送輪が固定的に取り付けられ、前記第一伝送輪と第二伝送輪がベルトコンベヤーを通じて動力が伝達可能なように接続し、前記撹拌軸に上に向かう第一内スプライン溝が設置され、前記第一内スプライン溝にスプライン軸がスプラインし係合し取り付けられ、前記第三転向軸に下に向かって前記スプライン軸と係合する第二内スプライン溝が設置され、前記転向溝の左端壁に分離装置が設置される。
【０００６】
他の技術方案として前記回す装置は前記第一転向筐体の左端壁に設置される第一滑り溝と第一滑り溝の上に位置し前記第一転向筐体と連結するアリ溝を含み、前記第一滑り溝の上端壁の左側に上に伸びる第二滑り溝が設置され、前記第二滑り溝と前記アリ溝の間に第一透過筐体が設置され、前記第一滑り溝に上下に滑る第一滑りブロックが取り付けられ、前記第一滑りブロックに上下に伸びるねじレバーが係合し取り付けられ、前記ねじレバーの下端が前記第一滑り溝の底壁に回転可能なように取り付けられ、上端が前記第一滑り溝の頂壁に固定的に取り付けられる第二モーターと動力が伝達可能なように接続し、前記第二滑り溝に前記第一滑りブロックと固定的に接続する滑りアームが滑り取り付けられ、前記滑りアームの右端面に第一ラックが設置され、前記アリ溝に上下に滑るアリブロックが取り付けられ、前記アリブロックの左端面に第二ラックが設置され、前記第一透過筐体が第四転向軸を通じて前記第一ラックと第二ラックと係合し接続するギアが回転可能なように取り付けられ、前記第一滑りブロックと前記アリブロックの右端にそれぞれ第一シフトフォークと第二シフトフォークが固定的に取り付けられる。
【０００７】
他の技術方案として前記分離装置は前記アリ溝の上端壁に設置され上に延びる第三滑り溝を含み、前記第三滑り溝と前記転向溝の間に相互に連結する第二透過筐体が設置され、前記第三滑り溝の中に上下に前記アリブロックと固定的に接続する第二滑りブロックが滑り取り付けられ、前記第二透過筐体に左右に延びる接続板が滑り取り付けられ、前記接続板の左端が前記第二滑りブロックと固定的に接続し、右端が前記転向溝に伸びて転向セットが固定的に取り付けられ、前記転向セットがベアリングを通じて前記スプライン軸に嵌着する。
【０００８】
他の技術方案として前記透過筐体と排出溝にそれぞれ第一制御バルブと第二制御バルブが取り付けられる。
【０００９】
他の技術方案として前記収容筐体の底壁に前記排出溝と接続する斜滑面が設置される。
【００１０】
本発明の有益な効果は、本発明は初期状態の時に、前記第一滑りブロックが前記第一滑り溝の上端壁と相殺し、前記第二円錐形プーリーが前記半円錐歯と噛み合い、前記アリブロックが前記アリ溝の底壁と相殺し、前記スプライン軸が第二内スプライン溝と離脱し、この時に前記第二円錐形プーリーが前記半円錐歯の回転軌跡に位置し、これにより前記第二円錐形プーリーが前記転向ディスクが回転する時に前記半円錐歯と噛み合う。
【００１１】
使用する時に、前記第二制御バルブを閉じて、前記第一制御バルブを開き、その後に前記注入溝に塗料を入れて、その後に前記第一制御バルブを閉じて前記第一モーターを起動し、前記第一モーターが前記第三転向軸を通じて前記第二伝送輪を駆動して回転させ、前記第二伝送輪が前記ベルトコンベヤーを通じて前記第二転向軸を駆動して回転させ、前記第二転向軸が前記第四円錐形プーリーを通じて前記第一転向軸を駆動して回転させ、前記第一転向軸が前記転向ディスクを駆動して回転させ、前記半円錐歯が前記第二円錐形プーリーが回転する時に前記第二円錐形プーリーと離れて前記第一円錐形プーリーと噛み合い、前記転向ディスクがずっと回転する過程に、前記撹拌軸を駆動しずっと正反転し、前記撹拌アームが収容筐体の中の塗料混合物をかき混ぜる。
【００１２】
単方向に攪拌する時、前記第二モーターを起動し、前記第二モーターが前記ねじレバーを通じて前記第一滑りブロックを駆動し下にスライドし、前記第一滑りブロックが下にスライドする時に前記第一シフトフォークを通じて前記第二円錐形プーリーを駆動し下にスライドし前記半円錐歯と離れて、前記第一滑りブロックが下にスライドする時に前記滑りアームと連動して下にスライドし、前記滑りアームが下にスライドする時に前記ギアを通じて前記アリブロックを駆動し上にスライドし、これにより前記シフトフォークを通じて前記第一円錐形プーリーを駆動し前記半円錐歯の回転軌跡から離れて、前記半円錐歯が前記第一円錐形プーリーと前記第二円錐形プーリーに作用せず、前記アリブロックが上にスライドする時に前記第二滑りブロックと前記接続板と連動して上にスライドし、前記接続板が前記転向セットを通じて前記スプライン軸と連動して上にスライドし前記第二内スプライン溝に伸びて、前記第三転向軸が回転する時に前記攪拌軸を駆動して回転させ単方向に撹拌することを実現する。
【００１３】
本装置の構造が簡単で、使用が便利で、単方向の撹拌と双方向の撹拌を切り替えることができ、必要に応じて自由に調節でき、塗料の撹拌効率と撹拌品質を高めて、塗る効果を大きく高める。
【発明の効果】
【００１４】
本発明の有益な効果は、本発明は初期状態の時に、前記第一滑りブロックが前記第一滑り溝の上端壁と相殺し、前記第二円錐形プーリーが前記半円錐歯と噛み合い、前記アリブロックが前記アリ溝の底壁と相殺し、前記スプライン軸が第二内スプライン溝と離脱し、この時に前記第二円錐形プーリーが前記半円錐歯の回転軌跡に位置し、これにより前記第二円錐形プーリーが前記転向ディスクが回転する時に前記半円錐歯と噛み合う。
【００１５】
使用する時に、前記第二制御バルブを閉じて、前記第一制御バルブを開き、その後に前記注入溝に塗料を入れて、その後に前記第一制御バルブを閉じて前記第一モーターを起動し、前記第一モーターが前記第三転向軸を通じて前記第二伝送輪を駆動して回転させ、前記第二伝送輪が前記ベルトコンベヤーを通じて前記第二転向軸を駆動して回転させ、前記第二転向軸が前記第四円錐形プーリーを通じて前記第一転向軸を駆動して回転させ、前記第一転向軸が前記転向ディスクを駆動して回転させ、前記半円錐歯が前記第二円錐形プーリーが回転する時に前記第二円錐形プーリーと離れて前記第一円錐形プーリーと噛み合い、前記転向ディスクがずっと回転する過程に、前記撹拌軸を駆動しずっと正反転し、前記撹拌アームが収容筐体の中の塗料混合物をかき混ぜる。
【００１６】
単方向に攪拌する時、前記第二モーターを起動し、前記第二モーターが前記ねじレバーを通じて前記第一滑りブロックを駆動し下にスライドし、前記第一滑りブロックが下にスライドする時に前記第一シフトフォークを通じて前記第二円錐形プーリーを駆動し下にスライドし前記半円錐歯と離れて、前記第一滑りブロックが下にスライドする時に前記滑りアームと連動して下にスライドし、前記滑りアームが下にスライドする時に前記ギアを通じて前記アリブロックを駆動し上にスライドし、これにより前記シフトフォークを通じて前記第一円錐形プーリーを駆動し前記半円錐歯の回転軌跡から離れて、前記半円錐歯が前記第一円錐形プーリーと前記第二円錐形プーリーに作用せず、前記アリブロックが上にスライドする時に前記第二滑りブロックと前記接続板と連動して上にスライドし、前記接続板が前記転向セットを通じて前記スプライン軸と連動して上にスライドし前記第二内スプライン溝に伸びて、前記第三転向軸が回転する時に前記攪拌軸を駆動して回転させ単方向に撹拌することを実現する。
【００１７】
本装置の構造が簡単で、使用が便利で、単方向の撹拌と双方向の撹拌を切り替えることができ、必要に応じて自由に調節でき、塗料の撹拌効率と撹拌品質を高めて、塗る効果を大きく高める。
【図面の簡単な説明】
【００１８】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１９】
【図１】図１は本発明の自動的に白く塗る建築装置の構造概略図である。
【図２】図２は図１の第一転向筐体の拡大構造概略図である。
【図３】図３は図２の転向ディスクの左視図である。
【図４】図４は図１の矢印の方向の構造概略図である。
【発明を実施するための形態】
【００２０】
本明細書に開示した全ての特徴、或いは開示した全ての方法、過程中のステップは、相互に排斥する特徴或いはステップ以外に、いかなる方式で組み合わせることができる。
【００２１】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２２】
図1〜4が示すように、本発明の自動的に白く塗る建築装置は機台10に固定的に取り付けられるスタッフィングボックス11を含み、前記機台10の四つの角底部に同時にバスマット101が設置され、前記スタッフィングボックス11に収容筐体15が設置され、前記収容筐体15の頂壁に第一転向筐体57が設置され、前記収容筐体15の頂壁にまた前記第一転向筐体57の左側に位置する注入溝18が設置され、前記収容筐体15の底壁に外部と連結する排出溝31が設置され、前記注入溝18の底壁に前記収容筐体15と連結する透過溝17が設置され、前記第一転向筐体57の右側に第二転向筐体29が設置され、前記第二転向筐体29の上側に左に延びる第三転向筐体25が設置され、前記第一転向筐体57が前記第三転向筐体25の間に相互に連結する転向溝41が設置され、前記第一転向筐体57の底壁に上下に延びる撹拌軸13が回転可能なように取り付けられ、前記撹拌軸13の下端が前記収容筐体15に伸びて多くの撹拌アーム14が固定的に取り付けられ、前記撹拌軸13の上端が上に伸びて前記転向溝41に回転可能なように取り付けられ、前記撹拌軸13が前記第一転向筐体57に位置し外スプラインが設置され、前記第一転向筐体57に上下に対応して前記外スプラインと係合する第一円錐形プーリー35と第二円錐形プーリー56が設置され、前記第一転向筐体57の左端壁に第一円錐形プーリー35と第二円錐形プーリー56を駆動し上下に滑る回す装置が設置され、前記第一転向筐体57と前記第二転向筐体29の間に左右に伸びる第一転向軸28が回転可能なように取り付けられ、前記第一転向軸28の左端が前記第一転向筐体57に伸びて転向ディスク22が固定的に取り付けられ、前記転向ディスク22の左端面に前記第一円錐形プーリー35と前記第二円錐形プーリー56と係合し接続する半円錐歯33が固定的に設置され、前記第一転向軸28の右端が前記第二転向筐体29に伸びて第三円錐形プーリー30が固定的に取り付けられ、前記第三転向筐体25と前記第二転向筐体29の間に上下に伸びる第二転向軸26が回転可能なように取り付けられ、前記第二転向軸26の下端が前記第二転向筐体29に伸びて前記第三円錐形プーリー30と係合し接続する第四円錐形プーリー27が固定的に取り付けられ、前記第二転向軸26の上端が前記第三転向筐体25に伸びて第一伝送輪24が固定的に取り付けられ、前記転向溝41の上部に上に伸びる第三伝送軸20が回転可能なように取り付けられ、前記第三伝送軸20の上端が前記スタッフィングボックス11の頂壁に固定的に取り付けられる第一モーター21と動力が伝達可能なように接続し、前記第三転向軸20に第二伝送輪19が固定的に取り付けられ、前記第一伝送輪24と第二伝送輪19がベルトコンベヤー23を通じて動力が伝達可能なように接続し、前記撹拌軸に上に向かう第一内スプライン溝34が設置され、前記第一内スプライン溝34にスプライン軸36がスプラインし係合し取り付けられ、前記第三転向軸20に下に向かって前記スプライン軸36と係合する第二内スプライン溝40が設置され、前記転向溝41の左端壁に分離装置が設置され、前記分離装置が前記スプライン軸3を駆動し前記第二内スプライン溝40と離合する。
【００２３】
好ましくは前記回す装置は前記第一転向筐体57の左端壁に設置される第一滑り溝53と第一滑り溝53の上に位置し前記第一転向筐体57と連結するアリ溝を含み、前記第一滑り溝53の上端壁の左側に上に伸びる第二滑り溝が設置され、前記第二滑り溝と前記アリ溝の間に第一透過筐体が設置され、前記第一滑り溝53に上下に滑る第一滑りブロック51が取り付けられ、前記第一滑りブロック51に上下に伸びるねじレバー52が係合し取り付けられ、前記ねじレバー52の下端が前記第一滑り溝53の底壁に回転可能なように取り付けられ、上端が前記第一滑り溝53の頂壁に固定的に取り付けられる第二モーター50と動力が伝達可能なように接続し、前記第二滑り溝に前記第一滑りブロック51と固定的に接続する滑りアーム46が滑り取り付けられ、前記滑りアーム46の右端面に第一ラックが設置され、前記アリ溝に上下に滑るアリブロック47が取り付けられ、前記アリブロック47の左端面に第二ラックが設置され、前記第一透過筐体が第四転向軸48を通じて前記第一ラックと第二ラックと係合し接続するギア49が回転可能なように取り付けられ、前記第一滑りブロック51と前記アリブロック47の右端にそれぞれ第一シフトフォーク54と第二シフトフォーク55が固定的に取り付けられ、これにより前記第一シフトフォーク54と第二シフトフォーク55を通じてそれぞれ前記第二円錐形プーリー56と第一円錐形プーリー35を回転させて上下にスライドさせる。
【００２４】
好ましくは前記分離装置は前記アリ溝の上端壁に設置され上に延びる第三滑り溝44を含み、前記第三滑り溝44と前記転向溝41の間に相互に連結する第二透過筐体42が設置され、前記第三滑り溝44の中に上下に前記アリブロック47と固定的に接続する第二滑りブロック45が滑り取り付けられ、前記第二透過筐体42に左右に延びる接続板43が滑り取り付けられ、前記接続板43の左端が前記第二滑りブロック45と固定的に接続し、右端が前記転向溝41に伸びて転向セット38が固定的に取り付けられ、前記転向セット38がベアリングを通じて前記スプライン軸36に嵌着する。
【００２５】
好ましくは前記透過筐体17と排出溝31にそれぞれ第一制御バルブ16と第二制御バルブ32が取り付けられ、これによりそれぞれに前記透過筐体17と排出溝31の開閉を制御する。
【００２６】
好ましくは前記収容筐体15の底壁に前記排出溝31と接続する斜滑面12が設置され、排出することを便利にする。
【００２７】
本発明は初期状態の時に、前記第一滑りブロック51が前記第一滑り溝53の上端壁と相殺し、前記第二円錐形プーリー56が前記半円錐歯33と噛み合い、前記アリブロック47が前記アリ溝の底壁と相殺し、前記スプライン軸36が第二内スプライン溝40と離脱し、この時に前記第二円錐形プーリー35が前記半円錐歯33の回転軌跡に位置し、これにより前記第二円錐形プーリー35が前記転向ディスク22が回転する時に前記半円錐歯33と噛み合う。
【００２８】
使用する時に、前記第二制御バルブ32を閉じて、前記第一制御バルブ16を開き、その後に前記注入溝18に塗料を入れて、その後に前記第一制御バルブ16を閉じて前記第一モーター21を起動し、前記第一モーター21が前記第三転向軸20を通じて前記第二伝送輪19を駆動して回転させ、前記第二伝送輪19が前記ベルトコンベヤー23を通じて前記第二転向軸26を駆動して回転させ、前記第二転向軸26が前記第四円錐形プーリー27を通じて前記第一転向軸28を駆動して回転させ、前記第一転向軸28が前記転向ディスク22を駆動して回転させ、前記半円錐歯33が前記第二円錐形プーリー56が回転する時に前記第二円錐形プーリー56と離れて前記第一円錐形プーリー35と噛み合い、前記転向ディスク22がずっと回転する過程に、前記撹拌軸13を駆動しずっと正反転し、前記撹拌アーム14が収容筐体15の中の塗料混合物をかき混ぜる。
【００２９】
単方向に攪拌する時、前記第二モーター50を起動し、前記第二モーター50が前記ねじレバー52を通じて前記第一滑りブロック51を駆動し下にスライドし、前記第一滑りブロック51が下にスライドする時に前記第一シフトフォーク54を通じて前記第二円錐形プーリー56を駆動し下にスライドし前記半円錐歯33と離れて、前記第一滑りブロック51が下にスライドする時に前記滑りアーム46と連動して下にスライドし、前記滑りアーム46が下にスライドする時に前記ギア49を通じて前記アリブロック47を駆動し上にスライドし、これにより前記シフトフォークを通じて前記第一円錐形プーリー35を駆動し前記半円錐歯33の回転軌跡から離れて、前記半円錐歯33が前記第一円錐形プーリー35と前記第二円錐形プーリー56に作用せず、前記アリブロック47が上にスライドする時に前記第二滑りブロック45と前記接続板43と連動して上にスライドし、前記接続板43が前記転向セット38を通じて前記スプライン軸36と連動して上にスライドし前記第二内スプライン溝40に伸びて、前記第三転向軸20が回転する時に前記攪拌軸13を駆動して回転させ単方向に撹拌することを実現する。
【００３０】
本発明の有益な効果は、本発明は初期状態の時に、前記第一滑りブロックが前記第一滑り溝の上端壁と相殺し、前記第二円錐形プーリーが前記半円錐歯と噛み合い、前記アリブロックが前記アリ溝の底壁と相殺し、前記スプライン軸が第二内スプライン溝と離脱し、この時に前記第二円錐形プーリーが前記半円錐歯の回転軌跡に位置し、これにより前記第二円錐形プーリーが前記転向ディスクが回転する時に前記半円錐歯と噛み合う。
【００３１】
使用する時に、前記第二制御バルブを閉じて、前記第一制御バルブを開き、その後に前記注入溝に塗料を入れて、その後に前記第一制御バルブを閉じて前記第一モーターを起動し、前記第一モーターが前記第三転向軸を通じて前記第二伝送輪を駆動して回転させ、前記第二伝送輪が前記ベルトコンベヤーを通じて前記第二転向軸を駆動して回転させ、前記第二転向軸が前記第四円錐形プーリーを通じて前記第一転向軸を駆動して回転させ、前記第一転向軸が前記転向ディスクを駆動して回転させ、前記半円錐歯が前記第二円錐形プーリーが回転する時に前記第二円錐形プーリーと離れて前記第一円錐形プーリーと噛み合い、前記転向ディスクがずっと回転する過程に、前記撹拌軸を駆動しずっと正反転し、前記撹拌アームが収容筐体の中の塗料混合物をかき混ぜる。
【００３２】
単方向に攪拌する時、前記第二モーターを起動し、前記第二モーターが前記ねじレバーを通じて前記第一滑りブロックを駆動し下にスライドし、前記第一滑りブロックが下にスライドする時に前記第一シフトフォークを通じて前記第二円錐形プーリーを駆動し下にスライドし前記半円錐歯と離れて、前記第一滑りブロックが下にスライドする時に前記滑りアームと連動して下にスライドし、前記滑りアームが下にスライドする時に前記ギアを通じて前記アリブロックを駆動し上にスライドし、これにより前記シフトフォークを通じて前記第一円錐形プーリーを駆動し前記半円錐歯の回転軌跡から離れて、前記半円錐歯が前記第一円錐形プーリーと前記第二円錐形プーリーに作用せず、前記アリブロックが上にスライドする時に前記第二滑りブロックと前記接続板と連動して上にスライドし、前記接続板が前記転向セットを通じて前記スプライン軸と連動して上にスライドし前記第二内スプライン溝に伸びて、前記第三転向軸が回転する時に前記攪拌軸を駆動して回転させ単方向に撹拌することを実現する。
【００３３】
本装置の構造が簡単で、使用が便利で、単方向の撹拌と双方向の撹拌を切り替えることができ、必要に応じて自由に調節でき、塗料の撹拌効率と撹拌品質を高めて、塗る効果を大きく高める。
【００３４】
以上に本発明の基本原理、主特徴と本発明の長所を表明し説明した。本業界の技術者が了解すべきなのは本発明は上記の実施例の制限を受けなく、上記の実施例と明細書に説明したのは本発明の原理で、本発明の意義と原理から離れないことを前提に本発明に各種の変化と改善があり、これらの変化と改善が本発明の保護範囲にある。本発明の保護範囲は添付の特許請求の範囲と同等内容に画定される。
【図１】
2019181431.tif 000003
【図２】
2019181431.tif 000004
【図３】
2019181431.tif 000005
【図４】
2019181431.tif 000006